(57)【要約】プロジェクションデバイスが提供されている。１つの実施形態では、プロジェクションデバイスは、その内部に搭載される光学システムを備えうる。この光学システムは、自体に対してほぼ平行な光学システムの軸を有している。また、プロジェクションデバイスは、光学システムに作用可能に接続されているとともに、光学システムの軸に対して平行となっていない調節軸を有している組合せ調節手段装置をさらに備えうる。
2008514990.tif 000002
【特許請求の範囲】
【請求項１】
プロジェクションデバイスであって、
前記プロジェクションデバイス内に取り付けられているとともに、光学システム軸を有している光学システムと、
前記光学システムに作用可能に接続されているとともに、前記光学システム軸に対して平行ではない調節軸を有している組合せ調節手段と
を備えてなる、プロジェクションデバイス。
【請求項２】
前記調節軸が、前記光学システム軸に対して略直角になっている、請求項１記載のプロジェクションデバイス。
【請求項３】
前記組合せ調節手段が、前記光学システムの第一のパラメータを調節するための第一の調節器を有してなる、請求項１記載のプロジェクションデバイス。
【請求項４】
前記組合せ調節手段が、前記光学システムの第二のパラメータを調節するための第二の調節器を有してなる、請求項１記載のプロジェクションデバイス。
【請求項５】
前記組合せ調節手段が第一の調節器と第二の調節器とを有しており、前記第一の調節器および前記第二の調節器のうちの一方がズーム調節手段であり、前記第一の調節器および前記第二の調節器のうちの他方が焦点調節手段である、請求項１記載のプロジェクションデバイス。
【請求項６】
前記組合せ調節手段が、第一の調節器と第二の調節器とを有しており、前記第一の調節器が、前記第二の調節器に対して独立して調節可能となっている、請求項１記載のプロジェクションデバイス。
【請求項７】
前記組合せ調節手段が、前記調節軸を中心として回転するように構成されてなる、請求項１記載のプロジェクションデバイス。
【請求項８】
前記組合せ調節手段が、レンズにリンクされた歯車組立体を有している少なくとも１つの調節器を備えてなる、請求項１記載のプロジェクションデバイス。
【請求項９】
前記組合せ調節手段が、レンズに作用可能にリンクされている円盤状の歯車に作用可能にリンクされた調節器を有してなる、請求項８記載のプロジェクションデバイス。 
【請求項１０】
前記組合せ調節手段が、レンズに作用可能にリンクされている摺動可能なプレートに作用可能にリンクされた調節器を有してなる、請求項９記載のプロジェクションデバイス。
【請求項１１】
前記組合せ調節手段が、内側ダイヤルと外側ダイヤルとを有してなる、請求項１記載のプロジェクションデバイス。
【請求項１２】
前記光学システムが、第一の側面に配置されているレンズと、第二の側面に配置されている組合せ調節手段とを有してなる、請求項１記載のプロジェクションデバイス。
【請求項１３】
前記第一の側面が前側面であり、前記第二の側面が上側面である、請求項１２記載のプロジェクションデバイス。
【請求項１４】
前記組合せ調節手段が、前記光学システムからズレた位置に設けられてなる、請求項１記載のプロジェクションデバイス。
【請求項１５】
前記調節軸が、前記光学システム軸に対して斜めになっている、請求項１記載のプロジェクションデバイス。
【請求項１６】
プロジェクションデバイスであって、
光源と投影レンズを有した光学システムとを有している画像生成デバイスと、
前記投影レンズから離れた位置に設けられているとともに、前記光学システムに作用可能に接続されているズーム調節手段と該ズーム調節手段に実質的に隣接し前記光学システムに作用可能に接続されている焦点調節手段とを有している組合せ調節手段と
を備えてなる、プロジェクションデバイス。
【請求項１７】
前記ズーム調節手段および前記焦点調節手段が同心上にある、請求項１６記載のプロジェクションデバイス。
【請求項１８】
前記ズーム調節手段および前記焦点調節手段のうちの一方が内側ダイヤルであり、前記ズーム調節手段および前記焦点調節手段のうちの他方が外側ダイヤルである、請求項１６記載のプロジェクションデバイス。
【請求項１９】
前記ズーム調節手段および前記焦点調節手段が調節軸を中心に回転する、請求項１６記載のプロジェクションデバイス。 
【請求項２０】
前記調節軸が、光学システム軸からズレた位置に設けられてなる、請求項１９記載のプロジェクションデバイス。
【請求項２１】
前記調節軸が、前記光学システム軸に対して略直角になっている、請求項１９記載のプロジェクションデバイス。
【請求項２２】
前記調節軸が、前記光学軸に対して斜めになっている、請求項１９記載のプロジェクションデバイス。
【請求項２３】
前記焦点調節手段および前記ズーム調節手段を前記光学システムに作用可能に接続するように構成されている中間領域をさらに備えてなる、請求項１６記載のプロジェクションデバイス。
【請求項２４】
前記中間領域が、前記ズーム調節手段および前記焦点調節手段の運動を前記光学システムに伝達するように構成されている歯車組立体を有してなる、請求項２３記載のプロジェクションデバイス。
【請求項２５】
前記中間領域が、ユーザ入力を前記光学システムに伝達するように構成されてなる、請求項２３記載のプロジェクションデバイス。
【請求項２６】
プロジェクションデバイスであって、
本体と、
前記本体内に取り付けられているとともに、前記本体の第一の側面の開口部から画像を投影するように構成されている光学システムと、
前記本体の第二の側面に配置されている組合せ調節手段とを備えており、
前記組合せ調節手段が第一の調節器と第二の調節器とを有してなる、プロジェクトデバイス。
【請求項２７】
前記第一の調節器がズーム調節手段であり、前記第二の調節器が焦点調節手段である、請求項２６記載のプロジェクションデバイス。
【請求項２８】
前記本体の第一の側面が前側面である、請求項２６記載のプロジェクションデバイス。
【請求項２９】
前記本体の前記第二の側面が上側面である、請求項２６記載のプロジェクションデバイス。 
【請求項３０】
前記第一の側面および第二の側面が互いに略直角となっている、請求項２６記載のプロジェクションデバイス。
【請求項３１】
前記組合せ調節手段が、前記第二の面に対して略直角になっている、請求項２６記載のプロジェクションデバイス。
【請求項３２】
前記組合せ調節手段が、前記光学システムからズレた位置に設けられてなる、請求項２６記載のプロジェクションデバイス。
【請求項３３】
前記調節軸が、前記光学システムに対して斜めになっている、請求項２６記載のプロジェクションデバイス。
【請求項３４】
光を生成し投影するように構成されている光学システムと、
前記光学システムに作用可能にリンクされている第一の調節手段と、
前記光学システムに作用可能にリンクされている第二の調節手段とを、備えてなるデバイス。
【請求項３５】
前記第一の調節手段が、前記ズームを調節するための手段を有してなる、請求項３４記載のデバイス。
【請求項３６】
前記第二の調節手段が、前記焦点を調節するための手段を有してなる、請求項３４記載のデバイス。
【発明の詳細な説明】
【技術分野】
【０００１】
本発明は、一般的に、プロジェクションデバイスのための調節機構を含むさまざまなデバイスのための調節機構に関するものである。
【背景技術】
【０００２】
この出願は、２００５年５月１３日に出願され、「プロジェクションデバイスのための組合せ調節手段（ＣＯＭＢＩＮＡＴＩＯＮ  ＣＯＮＴＲＯＬ  ＦＯＲ  ＰＲＯＪＥＣＴＩＯＮ  ＤＥＶＩＣＥ）」という表題が付された、米国特許出願第１１／１２９，５６２号および２００４年９月２８日に出願され、「プロジェクションデバイスのための組合せ調節手段（ＣＯＭＢＩＮＡＴＩＯＮ  ＣＯＮＴＲＯＬ  ＦＯＲ  ＰＲＯＪＥＣＴＩＯＮ  ＤＥＶＩＣＥ）」という表題が付された、米国特許出願第６０／６１４，１１９号に基づいて優先権を主張するものである。
【発明を実施するための最良の形態】
【０００３】
本実施形態は、例示のみを意図し限定を意図することなく、添付の図面に示されている。添付の図面では、類似する参照番号は類似する部材を示している。
【０００４】
図１には、例示的なプロジェクションデバイス１０が示されている。プロジェクションデバイス１０は、それに限定するわけではないがたとえばスクリーン、壁または他の投影面もしくは投影領域を含む表示画面または投影面（図示せず）に画像を投影するように構成されうる。本明細書では、プロジェクションデバイスは、それに限定するわけではないがたとえば、ディジタル式プロジェクタ、液晶表示（ＬＣＤ）プロジェクタ、ディジタル式光処理プロジェクタ、リアプロジェクションデバイス、反射投影デバイスなどを含むいかなる適切な表示装置または画像プロジェクタを含んでいてもよい。
【０００５】
図１に示されているように、例示的なプロジェクションデバイス１０は、本体またはハウジング１２を備えていることが一般的である。ハウジング１２はいかなる適切な形状であってもよい。たとえば、ハウジング１２は、立方体形状の箱の如き箱として示されている。しかしながら、それらに限定するわけではないがたとえば平坦な箱形状、箱形状、三角形状のハウジング、円形状のハウジング、台形状のハウジングおよびその他の適切な形状を含む他の形状であってもよい。図示されているように、ハウジング１２は前面１４ａおよび上面１４ｂを含む複数の側面または表面１４を備えている。ハウジング１２は、６つの側面を備えているように示されているが、いかなる数の側面を備えていてもよい。
【０００６】
ハウジング１２内には、光源（図示せず）と光学システム１８とを有している画像生成デバイス１６が収納されている。光源は、光線を発生し、その光線を光学システム１８に向けて送るように構成されうる。光学システム１８は、表示面上に画像を投影するために、ハウジングの前面１４ａの如きある側面の開口部２０を通して光を発生・投影するように構成されうる。
【０００７】
一部の実施形態では、光源は、発射された光のほとんどを光路に沿って案内するように構成されている反射器内に設けられたランプを備えている場合がある。この光は、光学システムを通ってプロジェクションデバイスから外へ案内されるが、ここで、光学システムを通ってプロジェクションデバイスから外に通じる光路をシステム軸Ａ−Ａと呼ぶ。光源は、いかなる適切なタイプのランプを備えていてもよい。一例としては、それに限定するわけではないがたとえば金属ハロゲンランプ、超高圧（ＵＨＰ）アークランプ、レーザ、発光ダイオード（ＬＥＤ）などが挙げられる。また、上記のシステムは、ランプの発光スペクトルの不要部分をろ過するために、赤外線（ＩＲ）フィルタまたは紫外線の（ＵＶ）フィルタの如き一または複数のフィルタをさらに備えうる。
【０００８】
光学システムは、光源からの光を受け取り、投影される画像を生成するように構成されうる。光学システムは、光学エンジン、画像生成エレメント、フィルタ、カラーホイール、レンズ、ミラー、プリズム、インテグレータ、コンデンサおよび他の適切な光学エレメントを備えうる。そのようなエレメントは画像を生成するように構成されうる。たとえば、光学システムは、それに限定するわけではないがたとえばディジタルマイクロミラー（ＤＭＤ）、ＬＣＤパネルまたはその他の適切な画像供給源の如き画像生成エレメントを備えていてもよい。一部の実施形態では、この画像生成エレメントは、一または複数のレンズ、ミラーまたは他の光学機器に向けて光を送るように構成され、次いで、これらの光学機器が、表示画面または投影面に向けて光を投影するように構成されている場合もある。したがって、プロジェクションデバイス１０は、表示面上に画像を生成・投影するように構成されている。
【０００９】
投影画像の外観の最適化には、複数のプロジェクションデバイス設定の調節が必要となる。したがって、一部の実施形態では、プロジェクションデバイス１０は、光学システム１８のパラメータを調節するためのさまざまな調節手段を備えている。光学システム１８の調節は、画像のタイプ、画像供給源、画像のサイズなどに基づいていることが望ましい。これらの調節を行うために、ユーザは、一または複数のメニューシステムを通じて個々の設定項目にアクセスすることが要求される場合もあるし、および／または、プロジェクションデバイスに対してマニュアル調節を行うことを要求される場合もある。調節器には、プロジェクションデバイス上のさまざまな位置にアクセスすることが困難な場合もあるし、および／または、探索することが困難な場合もある。
【００１０】
ユーザによる光学システムの調節を支援するために、組合せ調節手段２２が提供されうる。組合せ調節手段は、２つ以上の調節手段、すなわち第一の調節器２４および第二の調節器２６の如き調節器を一緒にリンクするように構成されうる。２つ以上の調節手段を一部に集中させることによって、ユーザは、投影本体上で個々の調節手段を探す必要なく、直ちに調節手段にアクセスすることが可能となる。さまざまな調節機構（調節器）がプロジェクションデバイスのさまざまな部位に設けられうるプロジェクションデバイスとは異なり、開示されている組合せ調節手段の如き一部に集中されている調節手段は、より使い易くなっている。さらに、そのような組合せ調節手段は、表示された画像をより迅速に調節しうる。
【００１１】
さらに、組合せ調節手段２２は、上面１４ｂの如きアクセスが容易な部位または前面、後面などを含むその他の適切な部位もしくは側面に設けられうる。組合せ調節手段２２をアクセスが容易な部位に配置することにより、投影画像を最適化するために必要なプロジェクションデバイスの調節に必要とされる時間を削減することが可能となりうる。たとえば、組合せ調節手段の使い易さは、（ユーザが調節手段にアクセスするためにハウジングの側面の穴に指を通して操作する必要がある構成とは異なり）プロジェクションデバイスのハウジングの外側に調節手段を配置することにより拡張されうる。
【００１２】
一部の実施形態では、組合せ調節手段は、プロジェクションデバイスの上側面に位置することによって、使い易さを向上しうる。表側面構成は、プロジェクションデバイスをよく知らないユーザに対して非常に有益である。というのは、ユーザが、組合せ調節手段を容易に見て識別し、それがどのように作動するかを理解しうるからである。    さらに、上側面に配置することにより、ユーザは、プロジェクションデバイスに手をまわすことなく、調整手段にアクセスすることができる。プロジェクションデバイスによっては、手をまわすことにより画像の表示が中断される場合もある。
【００１３】
さらに、一部のプロジェクションデバイスでは、焦点およびズームのための如き光学システム調節手段は、プロジェクションデバイスの前側面で且つ開口部２０を通って延びる光学システム１８の端部のまわりに配置されている。このような構成では、ユーザに調節手段を調節するためのスペースを提供するために、光学システムをプロジェクションデバイスの本体から離れる方向に延出させることを必要としうる。たとえば、一または複数のレンズ群が、プロジェクタの本体またはハウジングから外方に向かって突出することが必要となりうるし、調節手段がそれらのレンズまたはレンズ群上に位置し、調節には、それらのレンズまたはレンズ群を手動により調節または回転させる必要があり、このような構成では、光学システムがハウジングから離れて外方に延出されうる。延出された光学システムは、落とされるかまたは他の方法で乱用されたとき、破損または他の損傷を受けやすい。
【００１４】
それとは異なり、本発明の一部の実施形態では、調節器を開口部２０から離して設置することにより、光学システムをハウジング１２内に収納することを可能とすることが選択されうる。調節器にアクセスするために光学システムに直接の手動によりアクセスすることを必要としないので、光学システムを延出させる必要はなくなる。
【００１５】
光学システムおよび／または調節手段をハウジング内に収納するように構成することにより、乱用または事故により装置に対して損傷を与える危険性を減少させることが可能となる。たとえば、光学システムがハウジング内に収納される場合、その装置が落下するまたはテーブルの如き支持面にぶつかった場合に光学部品に対して傷を付けるまたは他の損傷を与える可能性は少ない。
【００１６】
さらに、一部のプロジェクションデバイスでは、プロジェクションデバイスの本体を越えて延出しているレンズ部分を保護するためにレンズキャップが用いられている場合がある。本発明によれば、レンズ部分がプロジェクションデバイスの本体内に受け入れられうるまたは実質的に収納されうる実施形態では、レンズキャップは不要としうる。たとえば、実施形態によっては、シャッタが代わりに用いられる場合もある。このような部品の削減は、プロジェクションデバイスのコストの削減をもたらしうるし、また、部品を失うリスクを減少させうる。
【００１７】
プロジェクションデバイス１０の構成部品に対する損傷をさらに制限するために、組合せ調節手段２２がハウジング１２内に収納されてもよい。たとえば、組合せ調節手段２２の上側面は、上側面１４ｂの如きハウジングの対応する表面に対して同一面内にまたは実質的に同一面内にありうる。
【００１８】
図１〜図５に示されているように、組合せ調節手段２２は、内側ダイヤル２８の如き第一の調節器と、外側ダイヤル３０の如き第二の調節器とを備えた二重式調整手段（ｄｕａｌ  ｃｏｎｔｒｏｌ）の形態をとりうる。内側ダイヤルおよび外側ダイヤルは、第一調節器および第二の調節器のうちの例示的なユーザ操作可能部分である。他のユーザ操作可能部分も可能であり、本発明の範疇内にある。内側ダイヤル２８は、投影画像の焦点を合わせるために光学システムの焦点距離を変更するが如く光学システムの第一のパラメータを調節するために用いられうる。外側ダイヤル３０は、投影画像の拡大またはズームを変更するか如く光学システムの第二のパラメータを調節するために用いられうる。したがって、一部の実施形態では、内側ダイヤル２８が焦点を調節し外側ダイヤル３０がズームを調節する場合もあれば、または、その逆の場合もある。いうまでもなく、これらの調節手段の機能は焦点およびズームの機能に限定されているわけではなく、複数の他のパラメータが調節されてもよい。さらに、組合せ調節手段２２は、２の数を超える調節機構を備えていてもよい。たとえば、組合せ調節手段は、画像が開口部２０を通って投影される角度を調節するための調節手段をさらに備えうる。
【００１９】
組合せ調節手段の調節器は、独立して調節されるように構成されうる。したがって、ユーザは、第二の調節器の調節に影響を与えることなく第一の調節器を選択的に調節しうるし、または、その逆の場合もありうる。たとえば、ズーム調節手段と焦点調節手段とを備える組合せ調節手段のユーザは、焦点を調節することなくズームを選択的に調節しうる。同様に、組合せ調節手段のユーザは、ズームを調節することなく焦点を選択的に調節しうる。さらに、そのユーザは、焦点およびズームの両方を選択的に調節しうる。
【００２０】
いうまでもなく、調節器の位置は変更されてもよいしまたは逆にされてもよい。また、調節器はいかなる適切な形態を有してもよい。したがって、ダイヤルとして示されているものの、限定する訳ではないがたとえばノブ、レバー、スイッチ、ボタンなどを含む他のタイプの調節機構が提供されてもよい。たとえば、組合せ調節手段２２は、選択された調節を行うように並進または他の方法で移動されるスライドバーの形態を有してもよい。他の実施形態では、組合せ調節手段は、ニュートラルポジションへ戻るように付勢されたジョイスティックタイプの機構を備えうる。
【００２１】
図２〜図５には、例示的なプロジェクションデバイス１０の内部構成部品が示されている。図示されているように、画像生成デバイス１６は、組合せ調節手段２２を光学システム１８に接続する中間領域３２を有しうる。中間領域３２は、組合せ調節手段からのユーザの入力を光学システムに伝達する上で適切ないかなる構成部品を含んでいてもよい。歯車組立体３４として図示されているものの、いうまでもなく、中間領域は、組合せ調節手段を光学システムに作用可能に接続するためのベルト駆動装置、電子調節手段またはその他の適切な機構を含んでいてもよい。ユーザによる調節可能な調節手段から光学システムへ運動を伝達するために、中間領域が、組合せ調節手段と光学システムとの間の直接的な結合により形成される実施形態もあれば、さまざまな構造体が用いられる実施形態もある。
【００２２】
図３には、例示的なプロジェクションデバイス１０の組立図が示されている。例示的な実施形態では、第一の調節器２４は、歯車組立体を備えていてもよいし、または、歯車組立体を回転するように構成されていてもよい。第一の調節器２４（および第二の調節器２６（以下に記載される））の歯車組立体により、ユーザにレンズまたはレンズ群を手動で係合させることを必要とせずに、レンズまたはレンズ群を選択的に調節することが可能となる。たとえば、第一の調節器２４は、円盤状の歯車３６を備えていてもよいしまたは作用可能に接続されていてもよく、円盤状の歯車は、歯付きプレート３８に係合して移動させるように構成されてもよい。プレート３８の並進により、歯車４０が回転しうるし、この回転により、投影画像の焦点を合わせることの如き光学システム１８のパラメータの調節が行われうる。前述の歯車は、レンズまたは一群のレンズの調節を可能とするために、相互に係合するように構成されている歯車の歯を有しうる。歯車組立体、歯車の歯、リンク機構、歯車サイズなどを変えることにより、組合せ調節手段を通じた粗調節または微調節が可能となりうる。
【００２３】
例示的な第二の調節器２６は、スロット４６を通じて歯付きプレート４４に係合するように構成されうる突部４２を備えたものとして示されている。第二の調節器が回転するにつれて、プレート４４は、当該プレートの底面の歯が歯車４８の歯に係合するように、横方向に摺動しうる。歯車の歯の係合により、その歯車が回転し、それにより光学システム１８のパラメータが調節されるようになっている。たとえば、第二の調節器は、ズームを調節することにより、投影画像を縮小させるまたは拡大させるために用いられうる。いうまでもなく、歯車４０および歯車４８は、レンズ、一群のレンズ、レンズまたは一群のレンズへのカップリング部材などであってもよい。第一の調節器および第二の調節器が異なる歯車組立体を有しているものとして示されているが、第一の調節器および第二の調節器は同一の歯車組立体構造を有していてもよい。さらに、第一の調節器２４が第二の調節器２６に関して記載された歯車組立体を有していてもよいし、または、その逆の場合であってもよい。
【００２４】
いうまでもなく、ズーム、焦点または他の調節可能パラメータを回転または調節するために、いかなる適切な歯車機構、歯車組立体を組合せたものなどを用いてもよい。たとえば、調節ダイヤルの回転運動をプレートの直線運動に変換するために、ラックアンドピニオンシステムが用いられてもよい。ラックをプレートと考えてもよいし、調節ダイヤル（または、他のリンクされた歯車）をピニオンと考えてもよい。歯車の直径により、ラックによる調節量が決められうる。
【００２５】
第一の調節器２４、第二の調節器２６および円盤状の歯車３６は、本明細書において調節軸Ｂ−Ｂ（図１および図３に図示される）と呼ばれる回転軸を形成しうる。第二の調節器２６が第一の調節器と同心軸上に並んでいるものと示されているが、いうまでもなく、これらの調節手段を互いに隣接して配置する他の形態をとってもよい。
【００２６】
図示されているように、調節軸Ｂ−Ｂは、光学システムの軸Ａ−Ａに対して非平行であってもよい。換言すれば、調節軸Ｂ−Ｂは、光学システムの軸Ａ−Ａからずらして位置付けされてもよいしまたはその軸外に位置付けされてもよい。図示されている実施形態では、調節軸Ｂ−Ｂは、光学システムの軸Ａ−Ａに対して略垂直に位置付けされている。調節軸Ａ−Ａが光学システムの軸Ａ−Ａに対して垂直になっているものとして示されているが、軸からズレた位置に設けられる他の構造も考えられており、それらには、限定するわけではないが、たとえば４５度軸からズレた位置に設けられる構造、６０度軸からズレた位置に設けられる構造、９０度軸からズレた位置に設けられる構造、１２０度軸からズレた位置に設けられる構造、１３５度軸からズレた位置に設けられる構造、１８０度軸からズレた位置に設けられる構造、２００度軸からズレた位置に設けられる構造、２７０度軸からズレた位置に設けられる構造などが含まれている。  
【００２７】
組合せ調節手段の軸からズレた位置に設けられる構造は、組合せ調節手段２２の配置についてより大きな自由度を提供しうる。その理由は、中間領域３２が、組合せ調節手段２２をハウジングの任意の所望の側面１４に設けるように、さまざまな方法で構成されうるからである。組合せ調節手段を軸からズレた位置に設けることができることにより、より多くの歯車または異なるタイプもしくはサイズの歯車を用いることを可能としうる。たとえば、光学システムに対する組合せ調節手段の向きをさらに変更するために歯車がさらに追加されてもよい。さらに、歯車のサイズは、調節手段の感度を調節するために変更されてもよい。たとえば、円盤状の歯車３６が円周方向に拡大された場合、ユーザが歯車４０を操作して光学システムのパラメータを調節するに当たって必要とされる内側ダイヤル２８の回転数がより少なくてすむ。
【００２８】
図４および図５には、中間領域３２の詳細がさらに示されている。いうまでもなく、他の構造も可能であり、本発明の範囲内である。具体的にいえば、図４には、歯車４８に係合しているプレート４４の歯の係合が示されている。歯車４８はレンズまたは一群のレンズと一体化されていてもよいしまたはそれらに接続されていてもよく、これにより、選択されたパラメータの調節が可能となる。同様に、図４には、プレート３８に係合されるように構成されている円盤状の歯車３６にリンクされている第一の調節器２４がさらに示されている。プレート３８の歯は、歯車４０に係合するように構成されうるし、歯車４０は、歯車４８に関して先に記載したように、レンズまたは一群のレンズに接続されてもよい。
【００２９】
図６は、第一の調節器２４’が歯車５０に係合し歯車５０がレンズまたは歯車５２に係合するようになっている例示的な他のプロジェクションデバイスを示す分解図である。実施形態によっては、レンズ５２が一または複数のさらなるレンズにリンクされている場合もある。第一の調節器２４’が回転すると、レンズ５２が回転および調節され、それにより、光学システムのズームおよび／または焦点が調節されるようになっている。
【００３０】
図６には、第一の調節器２４’に加えて、第二の調節器２６’がさらに示されている。第二の調節器２６’は、プレート５６と係合するように構成されうる歯５４を備えて示されている。上述のように、プレート５６は、当該プレート５６が歯車またはレンズ（または、一群のレンズ）５８に係合するように、歯または他の作用可能なカップリング機構を備えうる。第二の調節器２６’が回転すると、レンズ５８の選択的な調節が可能となりうる。上述のように、調節軸Ｂ’−Ｂは、光学システムの軸Ａ’−Ａからずらして位置付けされている。調節軸Ｂ’−Ｂが光学システム軸Ａ’ −Ａに対して垂直になっているように示されているが、他の適切な軸からズレた位置に設けられる構造も可能である。
【００３１】
図７〜図９には、上述のような組合せ調節手段を備えている例示的なプロジェクションデバイスが示されている。具体的にいえば、図７には、本体７１２と上側面に配置された組合せ調節手段７２２を備えている例示的なプロジェクションデバイス７１０が示されている。組合せ調節手段７２２の軸は、プロジェクションデバイス７１０の前側に示された光学システムの軸に対して略垂直となるように配置されている。さらに、組合せ調節手段７２２は、光学システムの鉛直面に対して同一線上にあるまたは略同一面上にある。
【００３２】
図８には、本体８１２を備えた他の例示的なプロジェクションデバイス８１０が示されている。プロジェクションデバイスの前側に示された光学システムからズレた、プロジェクションデバイスの上表面に配置された組合せ調節手段８２２が示されている。一般的に、「ズレた位置に設けられる」組合せ調節手段は、光学システムの真上の位置に設けられることはなく、一部の実施形態では、ズレた位置に設けられる組合せ調節手段は、光学システムから比較的遠く離れた位置に設けられる場合もある。「ズレた位置に設けられる」構造では、調節軸は、光学システム軸と交差しないように構成されている。ズレた位置に設けられる組合せ調節手段は、光学システムの軸が通過する面（たとえば、プロジェクタの後部からの前部へ延びている鉛直面）に対する調節軸の投射が光学システムの軸に対して垂直となるような位置に設けられうる。実施形態によっては、かかる投射が光学システムの軸に対して平行になっている場合もあれば、実施形態によっては、かかる投射が光学システムの軸に対して斜めになっている場合もある（光学システムの軸に対して直角でもなければ平行でもない）。かかる投射が光学システムの軸に対して斜めになっている場合、たとえ調節軸と光学システムの軸とが同一面上に存在しておらずかつ交差していない場合であっても、組合せ調節手段はズレた位置に設けられていると呼ばれうる。
【００３３】
組合せ調節手段を光学システムからズレた位置に設けることができると、機械設計における柔軟性が向上する。使いやすさを改善するため、組合せ調節手段が光学システムの光源から受け取る熱量を減少させるため、または、実質的にいかなる他の理由により、組合せ調節手段はズレた位置に設けられてもよい。組合せ調節手段をズレた位置に設けられる光学システムに作用可能に接続するために、いかなる適切な中間領域（たとえば、上述の中間領域３２）が用いられてもよい。
【００３４】
図９には、プロジェクションデバイスの他の例示的な構造が示されている。具体的にいえば、本体９１２と組合せ調節手段９２とを備えたプロジェクションデバイス９１０が示されている。組合せ調節手段は、光学システムの略上方に配置されて示されている。いうまでもなく、本体９１２の上表面（または上側面）が、前側または前表面に対してある角度で傾斜してもよい。したがって、組合せ調節手段９２２の軸は、光学システムの軸に対して９０度以外の角度で傾斜してもよい。たとえば、限定するわけではないが、組合せ調節手段９２２の軸が、光学システムの軸に対して５０度、７０度、８０度、１００度、１１０度であってもよい。
【００３５】
図１０および図１１には、組合せ調節手段のさまざまな実施形態がさらに示されている。このような実施形態は、例示を意図したものであり、いかなる意味においても、限定することを意図したものではない。図１０Ａに示されているように、組合せ調節手段２２Ａは、内側ダイヤル２４Ａと外側ダイヤル２６Ａとを備えている。内側ダイヤル２４Ａに突出部が設けられて、外側ダイヤル２６Ａに対する内側ダイヤル２４Ａの回転を容易にしてもよい。焦点調節手段の内側にズーム調節手段が示されているが、いうまでもなく、ズーム調節手段が焦点調節手段の外側になるように、これらの調節手段が配置されてもよい。さらに、組合せ調節手段２２Ａは、他の適切なパラメータを調節するために用いられてもよい。
【００３６】
図１０Ｂには、例示的な組合せ調節手段２２Ｂの他の実施形態が示されている。組合せ調節手段２２Ｂは、内側ダイヤル２４Ｂと外側ダイヤル２６Ｂとを備えている。ダイヤルのより容易な回転を可能とするために、さまざまなつかみ部または他の取り扱い機能が、内側ダイヤルおよび外側ダイヤルのうちの一方または両方に設けられうる。一部の実施形態では、組合せ調節手段は、プロジェクションデバイスの表面と実質的に同一面上に設けられている場合もある。このような同一面構造により、装置が落下または他の方法によって乱用された場合に、その装置の損傷が回避されうる。
【００３７】
図１０Ｃには、他の組合せ調節手段が２２Ｃと示されている。この組合せ調節手段２２Ｃは、内側ダイヤル２４Ｃと、外側ダイヤル２６Ｃとを備えている。ダイヤルの容易な係合および使用を可能とするために、リブまたはスポークを備えた外側ダイヤル２６Ｃが示されている。リブを備えているように図示されているが、他の適切な特徴であってもよく、限定するわけではないが、戻り止め、ノブ、凸部、拡張、スロット、凹み、溝、アームなどが含まれている。さらに、実施形態によっては、ダイヤルのうちの一方または両方が所定の位置に向かって付勢されている場合もある。一または複数のダイヤルを選択した位置に固定するために、摩擦ロックの如きロックが提供されうる。ロックを解除すると、ダイヤルは、前もって設定された位置に戻るように付勢されていてもよい。いかなる適切な付勢機構が用いられてもよく、限定するわけではないがたとえば、バネなどが含まれている。
【００３８】
図１０Ｄには、他の組合せ調節手段が示されている。組合せ調節手段２２Ｄは、内側ダイヤル２４Ｄの容易な調節を可能とするように構成されている開口部または凹部を有している内側ダイヤル２４Ｄを備えうる。また、外側ダイヤル２６Ｄにも、さまざまなつかみ機能が設けられてもよい。焦点調節手段の内側にズーム調節手段が示されているが、いうまでもなく、ズーム調節手段が焦点調節手段の外側に存在するように、これらの調節手段が配置されてもよい。さらに、組合せ調節手段２２Ｄは他の適切なパラメータを調節するために用いられてもよい。
【００３９】
図１０Ｅには、他の組合せ調節手段２２Ｅが提供されている。内側ダイヤル２４Ｅは、外側リングまたは外側ダイヤル２６Ｅを有する回転ノブ２４Ｅを備えている。同様に、図１０Ｆには、内側ダイヤル２４Ｆと外側ダイヤル２６Ｆを備えた組合せ調節手段２２Ｆの他の実施形態が示されている。
【００４０】
図１０Ｇには、内側ダイヤル２４Ｇと外側ダイヤル２６Ｇとを有する他の例示的な組合せ調節手段２２Ｇが示されている。一または複数のダイヤルを調節するための回転の方向を示すために、矢印または他のしるしが設けられてもよい。
【００４１】
図１０Ｈには、他の組合せ調節手段が示されている。具体的にいえば、内部が高くなったダイヤル２４Ｈと外側焦点ダイヤル２６Ｈとを備えた組合せ調節手段２２Ｈが示されている。ズーム調節手段が焦点調節手段の内側に示されているが、いうまでもなく、ズーム調節手段が焦点調節手段の外側に存在するように、これらの調節手段が配置されてもよい。さらに、ズームおよび／または焦点調節手段に代えてまたはそれに加えて、他のタイプの調節手段が代用されてもよいしまたは用いられてもよい。
【００４２】
図１０Ｉには、他の例示的な組合せ調節手段２２１が示されている。組合せ調節手段２２１は、内側ダイヤル２４１と外側ダイヤル２６１とを備えうる。実施形態によっては、ダイヤルが、互いに独立して移動するように構成されている場合もある。他の実施形態では、ダイヤルは、動作ステージまたは停止ステージの間、一体式にまたは一緒に回転するように構成されうる。さらに、ダイヤルは、システム構成に応じて、一緒にロックされてもよいしまたは独立してロックされてもよい。
【００４３】
いうまでもなく、調節器を光学システムにリンクするために、いかなる適切な機械的または電気的な機構が用いられてもよい。さらに、ダイヤルが図示されているが、ユーザが操作可能な部分は、タッチパッドなどを含む他の機械的な構成または電気的な構成であってもよい。
【００４４】
図１１は、例示的な組合せ調節手段２２を示す側面図である。内側ダイヤル２４は、外側ダイヤル２６により少なくとも部分的に囲まれうる。図示されているように、外側ダイヤル２６は、中間領域および／または光学システムと直接係合するように構成されている噛み合わせ歯を備えうる。いうまでもなく、組合せ調節手段の各々が例示的なものであって、これらの例示的な調節手段の機能が、他の組合せ調節手段の機能と交換されてもよい。さらに、図示されている組合せ調節手段が作用可能にリンクされた２つのダイヤルを示しているが、本発明の範囲を逸脱することなく、３つ以上のダイヤルが用いられうる。さらに、回転式調節手段として図示されているが、レバー装置、ハンドル、ボタンなどを含む他の構成が用いられてもよく、これらも本発明の範囲内に含まれる。
【００４５】
上述のように、以下のものが例示を目的とした実施形態として提供されている：プロジェクションデバイスであって、このプロジェクションデバイスの内部に取り付けられている光学システムと、このプロジェクションデバイスに接続されている組合せ調節手段とを備えており、光学システムが、当該光学システムのうちの一部に対して略平行な光学システム軸を有しており、組合せ調節手段が、光学システム軸に対してズレた位置に存在している調節軸を有してなるプロジェクションデバイス。
【００４６】
組合せ調節手段は、光学システムの第一のパラメータを変更するように構成されている第一の調節器と、光学システムの第二のパラメータを変更するように構成されている第二の調節器を有しうる。第一のパラメータは、光学システムの焦点距離でありうる。組合せ調節手段は、調節軸を中心に回転するように構成されうる。調節軸は、光学システム軸に対して略直角でありうる。中間領域は、組合せ調節手段を光学システムに作用可能に接続するように構成されている。中間領域は、組合せ調節手段からのユーザの入力を光学システムに伝達するように構成されている歯車組立体を備えうる。光学システムは、プロジェクションデバイス内に収納されうる。
【００４７】
さらに、プロジェクションデバイスであって、中間領域および光学システムを有している画像プロジェクションデバイスと、第一の調節手段と、この第一の調節手に接続されている第二の調節手段とを備えており、第一の調節手段と第二の調節手段が作用可能に中間領域に接続されてなるプロジェクションデバイスが提供されている。第一の調節手段および第二の調節手段が同心上に並びうる。中間領域は、第一の調節手段および第二の調節手段の移動を光学システムに伝達するように構成されている歯車組立体を備えうる。
【００４８】
さらに、プロジェクションデバイスであって、本体と、本体により収容されているとともに、本体の第一の側面からの画像を投影するように構成されている光学システムと、光学システムを調節するように構成されている第一の調節手段および第二の調節手段とを備えており、組合せ調節手段が、第一の側面とは異なる本体の第二の側面に設けられてなるプロジェクションデバイスが提供されている。
【００４９】
第一の測面および第二の側面は、互いに略直角になっている。第二の側面は本体の表側面に相当しうる。組合せ調節手段は本体の側面の同一面上にありうる。光学システムは、本体内に第一の側面から離れて収納されうる。
【００５０】
プロジェクションデバイス上で用いられる組合せ調節手段が先に記載されているが、いうまでもなく、組合せ調節手段が他の適切な電子デバイスのために用いられてもよい。
【００５１】
本発明には特定の実施形態が含まれているが、これらの実施形態は、限定することを意図したものであると考えるべきでなくはない。というのは、複数の変形が可能であるからである。本発明の主題は、本明細書に開示されたさまざま構成要素、特徴、機能および／または特性の新規でかつ非自明な組合せおよび部分組合せのすべて含んでいる。本願請求項は、新規かつ非自明であると考えられる幾つかの組合せおよび部分組合せを具体的に指摘している。これらの請求項は、「１つの」構成要素、「第一の」構成要素などを言及しうる。このような請求項は、そのような構成要素を２つ以上必要とすることもなければ排除もすることもなく、そのような構成要素を一または複数の数だけ含むものとして理解されるべきである。特徴、機能、構成要素および／または特性の他の組合せおよび下位の組合せが、本願請求項の補正を通じてまたは本願もしくは関連出願において新規の請求項を提示することにより主張されてもよい。そのような請求項もまた、出願当初の請求項に比べてより広くても、より狭くても、同一であっても、または、異なっていても、本願発明の主題の範囲に含まれるものと考えられる。   
【図面の簡単な説明】
【００５２】
【図１】本発明にかかる組合せ調節手段を実現しうるプロジェクションデバイスの一例を示す概略図である。
【図２】光学システムを含むプロジェクションデバイスの内部を示している、図１のプロジェクションデバイスを上方から見た斜視図である。
【図３】組合せ調節手段軸および光学システム軸を含んでいる、図２のプロジェクションデバイスを示した分解図である。
【図４】中間領域を通じて組合せ調節手段が光学システムと係合しているところを示している、図２のプロジェクションデバイスをその一部を切り取り下方から見た斜視図である。
【図５】図１の５−５線に沿って見たプロジェクションデバイスを示す断面図である。
【図６】他の中間領域を有しているプロジェクションデバイスの他の一例を示す分解図である。
【図７】プロジェクションデバイス上の組合せ調節手段の配置の例を示している。
【図８】プロジェクションデバイス上の組合せ調節手段の配置の例を示している。
【図９】プロジェクションデバイス上の組合せ調節手段の配置の例を示している。
【図１０】組合せ調節手段の例を示している。
【図１１】組合せ調節手段の例を示している。
【図１】
2008514990.tif 000003
【図２】
2008514990.tif 000004
【図３】
2008514990.tif 000005
【図４】
2008514990.tif 000006
【図５】
2008514990.tif 000007
【図６】
2008514990.tif 000008
【図７】
2008514990.tif 000009
【図８】
2008514990.tif 000010
【図９】
2008514990.tif 000011
【図１０Ａ】
2008514990.tif 000012
【図１０Ｂ】
2008514990.tif 000013
【図１０Ｃ】
2008514990.tif 000014
【図１０Ｄ】
2008514990.tif 000015
【図１０Ｅ】
2008514990.tif 000016
【図１０Ｆ】
2008514990.tif 000017
【図１０Ｇ】
2008514990.tif 000018
【図１０Ｈ】
2008514990.tif 000019
【図１０Ｉ】
2008514990.tif 000020
【図１１】
2008514990.tif 000021
【国際調査報告】
2008514990.tif 000022